Podtech/llm-jp-corpus-v4-ja_patent huggingface dataset:
(57)【要約】【課題】ピクニックや公園で食事をする時、冷箱で持ってきた御馳走を虫やゴミ、ホコリ、細菌などを気にせず、心から楽しむことのできる食卓兼用天板付き冷箱を提供する。【解決手段】二つ蝶形板から成る折りたたみ式天板を冷箱の上に設け、９０°回転させて広い安定した食卓に早変わりすることを特徴とする食卓兼用天板付き冷箱。【選択図】図８
2011036627.tif 000002
【特許請求の範囲】
【請求項１】
蝶番で接合された二つ蝶形板（１枚が冷箱の蓋とほぼ同じ大きさ）から成る天板を冷箱の上に設け、止めネジで取り付け、天板中心部（二つ蝶形板の接合線の真ん中）及び二つ蝶形板の一方の中心部に、共に冷箱蓋まで貫通する止めネジ用の止洞を設け、この二つの止洞を結ぶ線上に長洞を設け、更に長洞先端の止洞からＬ型垂直方向・長洞と等距離地点にもう一つの止洞を設け、冷箱の蓋は、外側背面に蝶番で取り付け、正面側に錠を設け、また冷箱の外側適所に持ち運び用のベルトを設けたことを特徴とする食卓兼用天板付き冷箱。
【発明の詳細な説明】
【技術分野】
【０００１】  本発明は、食卓兼用の天板具付き冷箱に関するものである。
【背景技術】
【０００２】  従来、冷箱の利用は単なる入れ物に限定されていた。
【発明の概要】
【発明が解決しようとする課題】
【０００３】  そのために、次のような問題点があった。
（イ）ピクニック等で、冷箱を開けて食事にしようという時、食卓台の代わりに冷箱を利用しようとしても、冷箱のフタは狭く、置き場所が不安定で使えない。
（ロ）やむを得ず、地面に敷いたシートの上に料理・食べ物を並べると、ちょっとした風でも、ゴミ、ホコリ、細菌などが入りやすい。
（ハ）直接地面に料理を並べれば、草の中にいる虫や土中の細菌などを考えると、せっかくの楽しい飲食のひと時も惨めな気分になる。
本発明は、これらの問題点を解決するためになされたものである。
【課題を解決するための手段】
【０００４】  蝶番で接合された二つ蝶形板（１枚が冷箱の蓋と同じ大きさ）から成る天板を冷箱の蓋の上に設け、止めネジで取り付ける。天板中心部（二つ蝶形板の接合線の真ん中）及び二つ蝶形板の一方の中心部に、共に冷箱蓋まで貫通する止めネジ用の止洞を設ける。この二つの止洞を結ぶ線上に長洞を設け、長洞先端の止洞からＬ型垂直方向・長洞と等距離地点にもう一つの止洞を設ける。冷箱の蓋は外側背面に蝶番で取り付け、正面側に蓋の錠を設ける。冷箱の外側適所に持ち運び用のベルトを設ける。
以上を特徴とする食卓兼用天板付き冷箱である。
【発明の効果】
【０００５】  ピクニックや公園でゆったり休息し、いざ食事を楽しもうと、冷箱から美味しそうな料理・飲食物を取り出した時、直接地面やシートの上に並べる代わりに、冷箱に取り付けられた天板をさっと広げるだけで即食卓に早変わりすれば、安定した置き場所・取り易い高さになり、ゴミ、ホコリ、細菌等を気にせず、心から楽しいひと時が過ごせる。
【図面の簡単な説明】
【０００６】
【図１】  本発明の使用時を示す正面図
【図２】  本発明の使用時を示す背面図
【図３】  本発明の不使用時を示す正面図
【図４】  本発明の使用時を示す平面図
【図５】  本発明の使用時を示す背面図
【図６】  本発明の使用時を示す右側面図
【図７】  本発明の持ち運び時を示す斜視図
【図８】  本発明の使用時を示す斜視図
【図９】  本発明の一部である止めネジ固定部の断面図
【図１０】  本発明の中心を通る線で切断した断面図
【発明を実施するための形態】
【０００７】  以下、本発明の実施の形態を説明する。
（イ）蝶番（３）で接合された二つ蝶形板から成る天板（２）を冷箱（１）の蓋（１０）の上に設け、止めネジ（５）でとりつける。
（ロ）天板（２）の中心部（二つ蝶形板の接合線の真ん中）に止洞（４ｃ）を、及び二つ蝶形板の一方の中心部に止洞（４ａ）を、共に冷箱（１）の蓋（１０）まで貫通する止めネジ（５）用に設ける。
（ハ）止洞（４ａ）と止洞（４ｃ）を結ぶ線上に長洞（９）を設け、長洞（９）の先端の止洞（４ａ）からＬ型垂直方向・長洞（９）と等距離地点に、もう一つの止洞（４ｂ）を設ける。
（ニ）冷箱（１）の蓋（１０）は、外側背面に蝶番（３）で取り付け、正面側に蓋（１０）の錠（８）を設ける。
（ホ）冷箱（１）の外側適所に持ち運び用のベルト（７）を設ける。
（ヘ）天板（２）と蓋（１０）を貫通する止めネジが、蓋（１０）のハッポウスチロールのような柔らかい素材にもしっかり固定できるように、止めネジ固定部（６）を設ける。
本発明は、以上のような構成で、これを使用する時は、折りたたんだ天板（２）を、冷箱（１）の蓋（１０）の中心に止洞（４ａ）が重なるように置き、止洞（４ａ）と止洞（４ｂ）をそれぞれ止めネジ（５）で固定し、ベルト（７）を肩に掛けて持ち運ぶ。目的地で天板（２）を開き、止洞（４ａ）の止めネジ（５）を弛め、止洞（４ｂ）の止めネジ（５）を抜き取る。長洞（９）を沿って天板（２）を移動させ、天板（２）の中心の止洞（４ｃ）を止めネジ（５）の位置に合わせ、そのまま９０°回転させて、止洞（４ａ）に止めネジ（５）を差し込んで、開いた天板（２）全体を安定させる。使用を終えたら、逆の手順で天板（２）を折りたためばよい。
【符号の説明】
【０００８】（１）冷箱，（２）天板，（３）蝶番，（４ａ）止洞，（４ｂ）止洞，（４ｃ）止洞，（５）止めネジ，（６）止めネジ固定部，（７）ベルト
（８）錠，（９）長洞，（１０）蓋
【図１】
2011036627.tif 000003
【図２】
2011036627.tif 000004
【図３】
2011036627.tif 000005
【図４】
2011036627.tif 000006
【図５】
2011036627.tif 000007
【図６】
2011036627.tif 000008
【図７】
2011036627.tif 000009
【図８】
2011036627.tif 000010
【図９】
2011036627.tif 000011
【図１０】
2011036627.tif 000012
(57)【要約】      （修正有）【課題】歯磨き時においての過大な圧力は、歯茎を痛める、ブラシが変形する、磨き残しが発生する、早期に買い換えるため非経済的、環境に悪い等さまざまな弊害があった。歯磨き時に、自ずと適正な圧力で磨ける構造を持たせる歯ブラシを提供する。【解決手段】歯ブラシの首部Ｂを、しなやかに曲がるように細くして、使用時に手からの圧力がその部分で逃げるようにした。歯ブラシの首部Ｂの断面を、断面図の様に丸長方形や、楕円形とし、上下方向の磨きや、ローリング磨きの回転等に対し強度を持たせた。歯ブラシの重さが市販品に比べ（ホテルなどの業務用は除く）１５％以上軽くなった。適正に歯磨きできる期間、が数倍延びた（数ヶ月）。当然歯が、つるつるになった。と言う結果が確認された。今話題の環境にも、歯ブラシの使用期間が延びる、材料の量が減る等で、貢献する歯ブラシである。【選択図】図１
2011036628.tif 000002
【特許請求の範囲】
【請求項１】
図１において、歯ブラシ各部の名称を、ブラシ部（Ａ）、首部（Ｂ）、柄部（Ｃ）とする。
（Ｂ）首部の全体にわたり、ブラシ部（Ａ）の植毛方向の厚さを、他方に対し数字が小さい丸長方形または、楕円形としたブラシ。
【請求項２】
図１において、歯ブラシ各部の名称を、ブラシ部（Ａ）、首部（Ｂ）、柄部（Ｃ）とする。
（Ｂ）首部の断面において、ブラシ部（Ａ）の植毛方向の厚さを、ブラシ部（Ａ）から柄部（Ｃ）方向へしなりを均一になるよう徐々に厚く形成された歯ブラシ。
【発明の詳細な説明】
【技術分野】
【０００１】この発明は、歯ブラシの首に関する発明である。
【背景技術】
【０００２】従来歯磨きは、ゴシゴシと音を立てるが如く磨くのが一般的である。
専門家により、磨き圧力のかけ過ぎを言われて久しいが、その解決は個々に任されているのが現状である。
【発明の概要】
【発明が解決しようとする課題】
【０００３】歯磨き時においての過大な圧力は、歯茎を痛める、ブラシが変形する、磨き残しが発生する、早期に買い換えるため非経済的、環境に悪い等さまざまな弊害があった。
そのため歯磨き時に、
自ずと適正な圧力で磨ける構造を持たせる。
適正な圧力を、個々に合わせて調整できる。
ローリング方式の磨き方に対応する。
上記を課題とし、それを解決することとした。
【課題を解決するための手段】
【０００４】  柄において、デザインは製造者も消費者も関心が高く非常に多様で素晴らしいものが多い。しかし柄に構造的な特徴を持たせて、歯磨き精度の向上を目指した製品は非常に少なかった。
本発明はその柄の一部分である首部分に着目した。【０００５】歯ブラシの首部（Ｂ）を、しなやかに曲がるように細くして、使用時に手からの圧力がその部分で逃げるようにした。【０００６】歯ブラシの首部（Ｂ）の断面を、断面図（Ｄ）（Ｅ）の様に丸長方形、あるいは楕円形とし、ローリング磨きの回転等に対し強度を持たせた。【０００７】首部（Ｂ）全体のしなり具合を均一にするため、首部（Ｂ）の断面（Ｄ）から（Ｅ）に於いて、柄部（Ｆ）よりブラシ部（Ａ）に向かって少しづつ０．５ｍｍ薄く形成した。
【発明の効果】
【０００８】歯磨き時に過大な圧力をかけて、歯茎を痛める、ブラシが変形する、磨き残しが発生する等さまざまな弊害が大きく取り除かれた。
ローリング方式の磨き方に対しても、ねじりの発生が大きく抑えられた。
【図面の簡単な説明】
【０００９】
【図１】本発明の請求項１の平面図である。  Ａ  ブラシ部  Ｂ  首部  Ｃ  柄部
【図２】本発明の請求項１および２の正面図である。
【図３】本発明の請求項１および２の各部分の断面図である。  Ｄ  首部のブラシ側断面図、縮尺４倍。  Ｅ  首部の柄側断面図、縮尺４倍。  Ｆ  柄部の断面図、縮尺２倍。
【発明を実施するための形態】
【０００８】以下、本発明を実施するための最良の形態について述べる。
材質は、歯ブラシのブラシを除いた本体を飽和ポリエステル樹脂とする。全長は、１６０ｍｍ〜１８０ｍｍと一般的な大きさとし、うち首部は全長５０〜６０ｍｍと長く取り断面形状は丸長方形および楕円形で回転方向に強度をつけ、幅５ｍｍ、厚さをブラシの植毛方向に対し、ブラシ側を約２．４ｍｍ。柄側を約２．９ｍｍとする。
使用時、飽和ウレタン成型の首部分はしなやかに曲がり軽く押し当てて磨くと１００ｇ圧、かなり強く押し当てても３００ｇ圧を超えることはない。そのため歯科医の推奨するブラッシング圧が自然に獲得できる。
また、首部の厚さを徐々に変えることで、湾曲時の首部の負担を均一にし、柄部側の折れ曲げに対する耐久性をもたせた。
さらに、断面形状を丸長方形および楕円形として、しなりを維持しつつ直角方向には強度を持たせたため、ローリング方式の磨き方に対しても、ねじりが発生し磨き精度が落ちるのを大きく抑えられた。
【図１】
2011036628.tif 000003
【手続補正書】
【提出日】平成21年11月2日(2009.11.2)
【手続補正１】
【補正対象書類名】図面
【補正対象項目名】全図
【補正方法】変更
【補正の内容】
【図１】
2011036628.tif 000004
【図２】
2011036628.tif 000005
【図３】
2011036628.tif 000006
(57)【要約】【課題】  一般に市販されている固形石鹸に水分が付いたままの状態で置くと表面がふやけ、溶けて流れる事が多く高額な固形石鹸の為不経済に成り、もったいない。【解決手段】  固形石鹸を受ける面に複数縦凸を設ける事で短間で自然乾燥させる事が出来る、つまり固形石鹸を受ける部分に幅２ｍｍ〜５ｍｍで、上端面から縦に凸形状で片面に３ケ所〜５ヶ所両面に、下迄設ける事で固形石鹸と面に空間ができ石鹸水分が下に流れる、凸両面に自然に繋がる内Ｒから外Ｒ設ける、この２種類のＲは固形石鹸が新しい時内Ｒ、使用し徐々に小さくなった過程を全て外Ｒで固形石鹸を受ける、固形石鹸を受ける上端全コーナにＲを付ける、このＲは人の手や固形石鹸を傷つけない為、さらに足の部分は面で受けるより両サイドの線で受ける事で座りが安定する。  固形石鹸の受け下部に２ｍｍ×８０ｍｍ長穴を設け石鹸水分が真下に流れ、下に石鹸水分を受ける面にＲを設ける、このＲは石鹸水分のこぼれを防止する、その石鹸水分を網又はネットに浸透させる事で次に使う人は泡が作れ経済的である。【選択図】図１
2011036621.tif 000002
【特許請求の範囲】
【請求項１】
固形石鹸を受ける面に複数の縦凸を設ける事で短間で乾燥させる事が出来る、この固形石鹸を受ける形は四角すい形、２種類の面の向い合う面が対称であり大きい面と小さい面で構成し、側面から見ると逆三角向きであり大きい面に上端から内Ｒと自然に繋がる外Ｒを下迄、このＲの付いた面に幅２ｍｍ〜５ｍｍの凸を縦向き３ヶ所〜５ヶ所両面に設ける、固形石鹸と面に空間を作り石鹸水分を下に流す事を特徴とする、シャボンスタンドある。
【請求項２】
凸面に上端から内Ｒと自然に繋がる外Ｒを設ける事で、固形石鹸が新しい時、使用し固形石鹸が徐々に小さく成る過程を全て凸幅２ｍｍ〜５ｍｍの面で受ける、固形石鹸を受ける上部全コーナに３種類のＲを付ける、このＲは人の手や固形石鹸を傷付けない為であり、さらに底部は面で受けるより両サイドの線で受ける事で座りが安定する事を特徴とする、シャボンスタンドである。
【請求項３】
固形石鹸の受け下部に幅２ｍｍ×長さ８０ｍｍの長穴を設け、石鹸水分が真下流れ、下で石鹸水分を受ける面にＲを設ける、このＲは石鹸水分のこぼれ防止である、受ける面上に網又はネット置き石鹸水分を浸透させる、浸透した網又ネットはそのまま泡が作れて便利で経済的である事を特徴とする、シャボンスタンドである。
【発明の詳細な説明】
【技術分野】
【０００１】  この発明は、一般に固形石鹸で洗顔又は体を洗う時に網又はネット用いてクリ−ム状の泡を作りそのクリ−ムの泡で洗顔又は体を洗う為の、固形石鹸を乗せるシャボンスタンドの形状と機能に関する。
【背景技術】
【０００２】  従来固形石鹸受けは、かごの形や受ける面に直接乗せる物も有り、水掃けの悪い物が多く使用されている為、石鹸と受けとの接する面が多く水分が溜まり、ふやけて固形石鹸の表面が溶けて流れる事が多い。
【先行技術文献】
【特許文献】
【０００３】
【特許文献１】特開２００４−８７５８号広報
【発明の概要】
【発明が解決しようとする課題】
【０００４】  そこで、水分が付いた固形石鹸を短時間で自然乾燥させる事、簡単に持ち運びできる、シャボンスタンドが求められている
【課題を解決するための手段】
【０００５】  本発明は、使用後の固形石鹸に付いた石鹸水分を下に流す、いかに固形石鹸の水分を短時間で乾燥出来るか、固形石鹸を受ける面に凸を設け凸の面上で受ける、凸は片面３ヶ所から５ヶ所、受ける面の両面設ける、そうする事で固形石鹸と面に隙間ができ石鹸水分が下流れる、受けの下部に長穴を設け石鹸水分が定位置に流し、流れた石鹸水分を受け止める面を持ち、その面の上に泡を作るための網又はネットを置き、石鹸水分を網又ネットに浸透させる、さらに固形石鹸を使用すると小さく成る、手段として固形石鹸が新しい時、使用して小さく成る過程を凸の面で受ける、内Ｒから自然繋がる外Ｒの二種類Ｒで常時固形石鹸と面に隙間を作り、凸の面で固形石鹸が無くなる迄受ける。
【発明の効果】
【０００６】  発明の効果は、固形石鹸を受ける面に複数縦凸を設ける事で短間で固形石鹸を乾させる事ができる、さらに流れた石鹸水分を網又はネットに浸透させる事で、次に使う人はそのまま泡ができ石鹸が長く使えて経済的である。
【図面の簡単な説明】
【０００７】
【図１】  図１は、平面図である。
【図２】  図２は、正面図である。
【図３】  図３は、側面図である。
【図４】  図４は、単面図ａｂである。
【図５】  図５は  単面図ｃｄである。
【図６】  図６は  固形石鹸が新しい時、小さくなった時  単面図である。
【発明を実施するための形態】
【０００８】  発明の実施形態は、図で示すシャボンスタンドは樹脂製品である、水分付いた固形石鹸がふやける前に自然乾燥させる事を目的とする、図１平面図引出し線１５で示す固形石鹸を受ける両面に、６ヶ所〜１０ヶ所、図１平面図引き出し線１凸形状幅２ｍｍ〜５ｍｍ高さは、場所によって異なる、この凸形状は図４単面図引き出し線１３から１４で示す位置まで設ける、凸高さの場所によって異なる部分は、固形石鹸が新しい時、使用し小さくなって行く過程を凸形状に図４単面図引き出し線６で示す小さ目の内Ｒ自然繋がる図４単面図引き出し線７で示す大き目の外Ｒで構成し、固形石鹸と面に隙間を作り、石鹸水分を下に流す、さらに図１平面図引き出し線２図３側面図引き出し線２で示す幅２ｍｍ×長さ８０ｍｍの長穴を設た部分から流れて来る石鹸水分を図２正面図引き出し線３で示すセンター位置に流す。図２正面図引き出し線５で示すこの斜面は左右対称とし、石鹸水分を図２正面図引き出し線３の位置中央に集まる事を目的とする、図２正面図引き出し線８、９で示す部分は、足の部分に当たり平面で受けるより両サイド２ヶ所の線で受けると安定させる事ができる。図４単面図ａｂ引き出し線１０、１１、図５単面図引き出し線１２で示すこの複数のＲは人の手や固形石鹸を傷付けない為であり、図３側面図引き出し線４で示すこのＲは上から流れて来た石鹸水分のこぼれを防止する為である。
【０００９】  図３側面図引き出し線２で示す幅２ｍｍ×８０ｍｍの長穴から中央部へ流れて来た石鹸水分を受ける面をもち、図３側面図引き出し線３で示すその面の上に泡を作る為の網又はネット置き石鹸水分を浸透させる、次に使う人はそのまま泡を作る事ができ便利で、固形石鹸が長く使えて経済的である。
【０００１０】  図面で示すシャボンスタンドは、材質を樹脂で製作予定  製品寸法は板厚ｔ３で構成する、樹脂製品で複雑な形状ではなく洗いやすく掃除が簡単である。
【実施例】
【・・・・】
【産業上の利用可能性】
【・・・・】
【符号の説明】
【図１】
2011036621.tif 000003
【図２】
2011036621.tif 000004
【図３】
2011036621.tif 000005
【図４】
2011036621.tif 000006
【図５】
2011036621.tif 000007
【図６】
2011036621.tif 000008
(57)【要約】【課題】  宮崎産杉材を利用した携帯折り畳み便器を提供する。【解決手段】  長方形の箱型で、台座となる長側板と短側板をそれぞれ蝶番で連結し、短側板の内側の片端に腕木を取り付け、組み立てて接触する短側板腕木の外側中央部と、長側板片端の内側中央部にマグネットを埋め込み設置する。  楕円形に繰り抜いた、木枠をつけたフタ状の便座に、楕円形の針金の輪に汚物袋を巻きつけ固定し、台形の飛沫防止具をセットするのを特徴とする折り畳み便器である。【選択図】図１
2011036625.tif 000002
【特許請求の範囲】
【請求項１】
長方形の箱型で、台座となる長側板と短側板を、それぞれ蝶番で連結し、短側板の内側の片端に腕木を取り付け、組み立てで接触する短側板腕木の外側中央部と、長側板片端の内側中央部にマグネットを埋め込み設置、楕円形に繰り抜いた、木枠をつけたフタ状の便座に、楕円形の針金の輪に汚物袋を巻きつけ固定、台形状の飛沫防止具をセットするのを特徴とする携帯用折り畳み便器。
【発明の詳細な説明】
【技術分野】
【０００１】  本発明は、宮崎県産杉材の間伐材を利用した、携帯用便器に関するもの。
【背景技術】
【０００２】  従来、野山や海など屋外レジャーの際は勿論、ドライブ中での渋滞時の緊急な状況での用便に対し、いろいろな携帯便器が提供されている。
（例えば特許文献１参照）
（例えば特許文献２参照）
【先行技術文献】
【特許文献】
【０００３】
【特許文献１】特許公開２００２−７８６４２
【特許文献２】特許公開２００４−２４８４５
【発明の概要】
【発明が解決しようとする課題】
【０００４】  しかし、汚物の処理方法や、保管中の汚物の臭いなど衛生の問題、さらに便器の持ち運びが面倒なうえ、使いやすさなどに難点があった。
本発明は、これらの問題点を解決するためになされたものである。
【課題を解決するための手段】
【０００５】  長方形の箱型で、台座となる長側板と短側板を、それぞれ蝶番で連結する。短側版の内側の片端に腕木を取り付け、組み立て時、接触する短側板腕木の外側中央部と長側板片端の内側中央部に、それぞれマグネットを埋め込み設置する。
楕円形に繰り抜いた、木枠をつけたフタ状の便座には、楕円形の針金の輪に、汚物袋を巻きつけ固定し、台形状の飛沫防止具をセットするのを特徴とする携帯用折り畳み便器である。
【発明の効果】
【０００６】  折り畳みにしたことにより、嵩張らず持ち運びに便利である。
マグネットの利用で、台座の組み立てが簡単で、使用しやすい。
汚物の処理がし易く、衛生面でも使用後のゴミ袋をとじ、さらにパックに密閉する方式のため、一時保管の臭気防止などに優れた効果がある。
また地方の使用者よっては、パックの汚物を有機肥料として、リサイクル活用することも出来る。
【図面の簡単な説明】
【０００７】
【図１】  本発明の斜視図
【図２】  本発明の分解図
【図３】  本発明の携帯時の斜視図
【発明を実施するための最良の形態】
【０００７】  長方形の箱型で、台座１となる長側板２と短側板３を、それぞれ蝶番４で連結する。短側板３の内側の片端に腕木５を取り付け、組み立て時、接触する短側板腕木５の外側中央部６と長側板片端の内側中央部７に、それぞれマグネット８を埋め込み設置する。また、楕円形９に繰り抜いた、木枠１０をつけた台座１のフタ状を、便座１１として使用する。便座１１の繰り抜いた楕円形９と同形で、一回り大きい針金の輪１２にゴミ袋１３の上部を巻きつけて袋１３の内部を広げて便器の中にセットする。
台形状のゴム製などの飛沫防止具１４に、留め具１５をつけ、便座前部両脇の留め具止め穴１６に嵌め込んで使用するのを特徴とする携帯用折り畳み便器である。
【実施例】
【０００８】  本発明は、用便のあと、汚物袋を針金の輪からはずし、袋の口を結ぶか、輪ゴムで密封する。次に、密封した汚物を、さらにもう一枚のプラスチックパックに、密封して保管する
台座となる二組の側板を折り畳んで、便座の木枠の中に揃えて収納することが出来る。置き場所を取らず、持ち運びにも嵩張らず、携帯に便利である。
また屋外の使用時、特に女性は、人の視線が気になるので、腰だけの一部から、頭から被れるスカート状のマントを備品として備える。
【産業上の利用可能性】
【０００９】  車の長時間の渋滞による用便の問題は、子供のいる家族のドライブでは重要な問題である。
また、屋外だけでなく家庭での介護の際での利用、いつ起きるか分からない災害などの応急品としてなど、携帯用の便器は、今や生活必需品の一つに数えられる。
本発明品は、放置されている杉の木の間伐材を、有効に活用出来ないかという要望から生まれた製品である。
【符号の説明】
【００１０】    １    台座
２    長側板
３    短側板
４    蝶番
５    腕木
６    外側中央部
７    内側中央部
８    マグネット
９    楕円形
１０  木枠
１１  便座
１２  針金の輪
１３  ゴミ袋
１４  飛沫防止具
１５  留め具
１６  留め具止め穴
【図１】
2011036625.tif 000003
【図２】
2011036625.tif 000004
【図３】
2011036625.tif 000005
(57)【要約】      （修正有）【課題】熱く焼けた「なすび」の皮を手で触らず、かんたんにむくことができる。【解決手段】Ｚ金具（１）の先端付近に、焼き鳥の串状の金具（２）を取り付け、もう一方に取っ手（３）を付け、人が持つことのできる様にし、「なすび」のヘタをハサむ、ハサミ（４）とセットになった、なすびの皮むき器である。【選択図】図１
2011036609.tif 000002
【特許請求の範囲】
【請求項１】
Ｚ金具の先端付近に、焼き鳥の串状の金具を取り付け、もう一方に取っ手を付け、人が持つことのできる様にし、「なすび」のヘタをハサむ、ハサミとセットになった、なすびの皮むき器である。
【発明の詳細な説明】
【技術分野】
【考案に属する技術分野】
【０００１】  Ｚ金具の先端付近に、焼き鳥の串状の金具を取り付け、もう一方に取っ手を付け、人が持つことのできる様にし、「なすび」のヘタをハサむ、ハサミとセットになった、なすびの皮むき器である。
【背景技術】
【０００２】  従来より、手で皮をむく方法があった。
【発明の開示】
【課題を解決しようとするための手段】
【０００３】  これは、次のような問題点があった。
（イ）熱いので手をやけどする危険があった。
本考案は、以上の欠点を解決するために考案されたものである。
【課題を解決するための手段】
【０００４】  Ｚ金具の先端付近に、焼き鳥の串状の金具を取り付け、もう一方に取っ手を付け、人が持つことのできる様にし、「なすび」のヘタをハサむ、ハサミとセットになった、なすびの皮むき器である。
【考案の効果】
【０００５】  熱く焼けた「なすび」の皮を手で触らず、かんたんにむくことができる。
【発明を実施するための最良の形態】
【０００６】  以下、本発明の実施の形態を説明する。
Ｚ金具（１）の先端付近に、焼き鳥の串状の金具（２）を取り付け、もう一方に取っ手（３）を付け、人が持つことのできる様にし、「なすび」のヘタをハサむ、ハサミ（４）とセットになった、なすびの皮むき器である。
【図面の簡単な説明】
【０００７】
【図１】  本考案の側面図
【符号の説明】          １  Ｚ金具
２  焼き鳥の串状の金具
３  取っ手
４  ハサミ
【図１】
2011036609.tif 000003
(57)【要約】【課題】高級な部品、及び高度な制御技術を使わずに安価な２足歩行を実現する。【解決手段】並行リンク機構の可動角を制限した脚機構に、外側が浮くように足を取付けた機構を、両側対象に配置し、腰板で結合した２脚機構の上に、左右の重心を変化させられる機構を設けた胴体を搭載した機構において、前進する方向に胴体が位置するよう並行リンク機構を曲げ、この状態にて左右方向の重心を変化させることにより片方の足を浮かし、浮いた足が重力により前に出るが、次に反対方向に重心を移動させ本体をかた向け、その時先に述べた反対足が前進した距離だけ全体が移動し、同時に反対の浮いた足が重力により前に出ることを交互に繰り返しことにより前進する重力利用の２足歩行機構。【選択図】図１
2011036610.tif 000002
【特許請求の範囲】
【請求項１】
並行リンク機構の可動角を制限した脚機構に、外側が浮くように足を取付けた機構を、両側対象に配置し、腰板で結合した２脚機構の上に、左右の重心を変化させられる機構を設けた胴体を搭載した機構において、前進する方向に胴体が位置するよう並行リンク機構を曲げ、この状態にて左右方向の重心を変化させることにより片方の足を浮かし、浮いた足が重力により前に出るが、次に反対方向に重心を移動させ本体をかた向け、その時先に述べた反対足が前進した距離だけ全体が移動し、同時に反対の浮いた足が重力により前に出ることを交互に繰り返しことにより前進する重力利用の２足歩行機構。
【発明の詳細な説明】
【技術分野】
【０００１】  本発明は、重心移動で歩行できる実用的な２足歩行機構に関するものである。
【背景技術】
【０００２】  ホンダのアシモに代表されるように２足歩行ロボットは技術的に非常に高度なものとされている。その理由は、１２個のモータを制御してバランスをとりながら歩行するためで、高度な制御技術が要求される点である。さらに、各関節に組み込まれた減速機付モータは、高トルク、高応答性、軽量、小型の高性能のものが要求される。また、それを制御する制御機器も、小型軽量、の高性能のものが要求される。さらに、センサも同様である。つまり、すべてが最先端技術で成り立っている。そのため、非常に高価であり普及を妨げている
【発明の開示】
【発明が解決しようとする課題】
【０００３】高級な部品、及び高度な制御技術を使わずに安価で実用的な２足歩行を実現する。
大型の歩行機械を製作する。
【課題を解決するための手段】
【０００４】  脚の駆動制御に、モータを使用しないことにより安価で実用的な２足歩行を実現。
学問的には、受動制御とした。具体的には、足が前に出るのは、足自身の重みとし自然な動きを実現。制御は不要とした。
【発明の効果】
【０００５】  高級な部品、高度な制御技術を使わずに２足歩行を実現した。単純な構造なので、制御の暴走により倒れることはなく、安全性が高く実用的である。
【発明を実施するための最良の形態】
【０００６】  人により似せるためには、並行リンク機構を二段にして、膝を設けることもできる。ただ玩具等に応用する場合コストが上がる。左右の重心を変化させる方法として、腕の先端を重くして左右に振る方法が簡便である。
【実施例１】
【０００７】  図１は、重力利用２足歩行機構の実施例の構成を示す。本例では、並行リンク機構１の可動角２を制限した機構３に、外側が浮くように足４を取付けた脚機構５を、両側対象に配置し、腰板６で結合した２脚機構７の上に、左右の重心を変化させられる機構８を設けた胴体９を搭載した機構１０。並行リンク機構のジョイント部はチョウバン、ピン、シート等問わない。可動角を制限する方法の一例として、並行リンクの対角頂点をロープ１１でむすび、ロープ１１の長さを調整することで角度を制限した。図２は重力利用２足歩行機構が、前進する方向に胴体９が位置するよう並行リンク機構１を曲げ、この状態にて左右方向の重心を変化させることにより片方の足を浮かし、浮いた足が重力により前に出る状態を示している。図３は重力利用２足歩行が、反対方向に重心を移動させ本体をかた向け、その時先に述べた反対足が前進した距離だけ全体が移動し、同時に反対の浮いた足が重力により前に出る説明である。図４は左右の重心を変化させる機構の例である。胴体に支点１２があり腕１４の先におもり１３があり、腕１４を振ることにより重心１５が変化する。図５は、腕１４を振る機構の例である。ギヤードモータ１６にリンク１７を設け、レバー１８を介し腕１４にジョイントすることでギヤードモータ１６の回転を揺動運動に変換する。
【産業上の利用可能性】
【０００８】学習用キット。イベント用人間型ロボットの歩行装置。搭乗型２足歩行機械。大型２足歩行機械。駆動機構がないので、大型化が容易。レジャー設備。
【図面の簡単な説明】
【０００９】
【図１】重力利用２足歩行機構の構成の説明
【図２】重力利用２足歩行機構の浮足の前出の説明
【図３】重力利用２足歩行機構の全体移動の説明
【図４】重力利用２足歩行機構の重心変化機構の説明
【図５】重力利用２足歩行機構の腕振り機構の説明
【符号の説明】
【００１０】１  並行リンク機構
２  可動角
３  可動角制限付き並行リンク機構
４  足
５  足機構
６  腰板
７  ２脚機構
８  重心変化機構
９  胴体
１０  胴体機構
１１  ロープ
１２  支点
１３  おもり
１４  腕
１５  重心
１６  ギヤードモータ
１７  リンク
１８  レバー
１９  床
２０  前進距離
２１  浮量
２２  傾き
２３  傾斜角
２４  全体移動距離
２５  右足
【図１】
2011036610.tif 000003
【図２】
2011036610.tif 000004
【図３】
2011036610.tif 000005
【図４】
2011036610.tif 000006
【図５】
2011036610.tif 000007
(57)【要約】【課題】  Ｌ型台座に落下防止板をつけたふとん落下防止具を提供する。【解決手段】  合成樹脂等でできた落下防止板の長手方向の一端を半円形状に形どり、円の中心部に円心孔を設け、Ｌ型台座は底板部と垂直に設けた落下防止板取り付け部で構成し、落下防止板取り付け部には、上方及び左右どちらが一方を開口して、落下防止板挿入溝を設け、面中心部にボルト穴を設けたことを特徴とするふとん落下防止具。【選択図】図１
2011036606.tif 000002
【特許請求の範囲】
【請求項１】
合成樹脂等でできた落下防止板の長手方向の一端を半円形状に形どり、円の中心部に円心孔を設け、Ｌ型台座は底板部と垂直に設けた落下防止板取り付け部で構成し、落下防止板取り付け部には、上方及び左右どちらが一方を開口して、落下防止板挿入溝を設け、面中心部にボルト穴を設けたことを特徴とするふとん落下防止具。
【発明の詳細な説明】
【技術分野】
【０００１】  本発明は、合成樹脂板で作られたＬ型の台座に可動式の回転板を取り付けたふとん落下防止具に関するものである。
【背景技術】
【０００２】  従来、ベッドの縁に取り付けるサクや、合成樹脂板でできた落下防止板があった。
【発明の概要】
【発明が解決しようとする課題】
【０００３】  そのために、次のような問題点がある。
（イ）器具の取り付け、取り外しに手間がかかりすぎた。
（ロ）取り付けた器具で、事故を起こすことがあった。
本発明は、これらの問題点を解決されるためになされたものである。
【課題を解決するための手段】
【０００４】  合成樹脂等でできた落下防止板の長手方向の一端を半円形状に形どり、円の中心部に円心孔を設ける。
Ｌ型台座は底板部と垂直に設けた落下防止板取付部で構成される。
落下防止板取り付け部には、上方及び左右どちらが一方を開口して、落下防止板挿入溝を設け、面中心部にボルト穴を設ける。
以上のように構成されたふとん落下防止具である。
【発明の効果】
【０００５】  本発明品は極めて軽量で、操作が簡単でベッドに取り付けたままでも危険性がない。
落下防止板が直立や水平の姿勢に近づくと、自然にストップするような仕組みになっている。
【図面の簡単な説明】
【０００６】
【図１】  本発明の斜視図である。
【図２】  本発明の一部である落下防止板の正面図である。
【図３】  本発明の一部であるＬ型台座の斜視図である。
【発明を実施するための形態】
【０００７】  以下、本発明の形態について説明する。
（イ）合成樹脂等でできた落下防止板（１）の片方を半円形状に形どり、円の中心部に円心孔（２）を設ける。
（ロ）Ｌ型台座（３）は底板部（８）と垂直に設けた落下防止板取り付け部（４）で構成される。
本発明は、以上のような構造で、これを使用するときは、落下防止板取り付け部（４）には、上方及び左右どちらか一方を開口して落下防止板挿入溝（５）を設け、面中心部にボルト穴（７）を設ける。
落下防止板（１）の半円形状の部分を落下防止板挿入溝（５）に挿入し、ボルト（６）をボルト穴（７）に通して装着する。
底板部（８）をベッドとマットの間に差し込む。
落下防止板（１）を手動回転式で、使用時には垂直に立て、不使用時には水平に倒しておく。
【符号の説明】
【０００８】１  落下防止板
２  円心孔
３  Ｌ型台座
４  落下防止板取り付け部
５  落下防止板挿入溝
６  ボルト
７  ボルト穴
８  底板部
【図１】
2011036606.tif 000003
【図２】
2011036606.tif 000004
【図３】
2011036606.tif 000005
(57)【要約】【課題】現在販売されている一体型トイレには当然手洗い機能が付属されていない為新たに手洗いを設置しなければならかった、本発明は上部蓋部分に新たに手洗い機能を設けた便器で、場所、配管、排水、のコストダウンを提供できる。【解決手段】上部蓋に手洗い器が付く事で、狭いトイレ内に手洗い器が付かないため余分な給水配管費、排水配管費が省けてシンプルかつコストダウンにもなる。【選択図】図１
2011036613.tif 000002
【特許請求の範囲】
【請求項１】
従来販売品の１体型便器は機能的にない手洗い器を、本体の蓋内部に装着した。
【請求項２】
手を洗浄する時水は、霧状で後、温風乾燥になり人感センサーで動作する。
【請求項３】
手の位置（洗浄、乾燥）に合わせて上部蓋の角度は調整できる。
【発明の詳細な説明】
【技術分野】
【０００１】  本発明は、現在の１体型トイレに手洗い機能が付いていないために、リフォームでは手洗い器を取り付けなくてはならず、余計な出費となります。本発明は１体型トイレに手洗い機能付きを付けることに関するものである。
【背景技術】
【０００２】  従来、１体型トイレ（タンクレス）は各メーカー、排水量、電気代、デザイン、に技術が先行していますが、狭いトイレの中での手洗い器は取り付け位置が困難。【０００３】
【先行技術文献】
【発明の概要】
【発明が解決しようとする課題】
【０００４】  （イ）既存の手洗い付きトイレからタンクレストイレに交換する事で、手の洗う機能が付いていないため新たに設けなくてはならず不便だった。
（ロ）トイレの狭い所に、手洗い器の場所、配管、排水、が取れない。
本発明は以上の問題点を解決するものである。
【課題を解決するための手段】
【０００５】  上部蓋に手洗器を設ける、上部蓋の開口口に手を差し込む事で、人感センサーで感知して霧状になった水は手を洗浄して、後に温風で手を乾燥する。
水滴は排水ホースにて下部便器内に排水となる。
以上を特徴とする１体型トイレに手洗い機能付です。
【発明の効果】
【０００６】  本発明は、１体型トイレの蓋に手洗いが付く事で、手洗い器の場所がいらない。
水が霧状になり後、温風が出る為、手を拭くタオルを必要としなくなる。
【図面の簡単な説明】
【０００７】
【図１】本発明の側面図
【図２】本発明の斜視図
【発明を実施するための形態】
【０００８】以下、本発明を実施するための最良の形態について説明する。
（イ）上部蓋［１］（１）に手洗い器を設ける。
（ロ）手を洗う水出口（３）から水を霧にする事手を洗浄する。
（ハ）温風出口（４）から温風が出る事で手を乾燥する。
（二）上部蓋（１）の角度が微妙に傾く事で、手の高さに調整できる。
本発明は、以上のような構造である。
本発明を使用する時は、通常便器を使用する時と同様で、男子の場合、便器の前に立ち用をたす。
女子の場合便器に座り用をたす、したがって従来と同じ要領ですが、従来と異なるのは、使用後の手洗い時にトイレ内での手洗い器を使用していたものを、上部蓋に手洗い器が一体になる。
便器の上部蓋（１）の部分は使用する時、オート開閉する。その時、蓋開口内部には、使用後の人の手をその開口部（２）に差し込む事で、人感センサー（６）が感知して水出口（３）から霧が出て手を洗浄する
手洗いの排水は（５）排水ホースを通り、便器内に排水する。
後に、温風出口（５）から温風が出る事で手全体の乾燥と工程に切り替わっていく。
子供の手の位置は当然低いため、おのずと蓋の角度も使いやすい位置へと微妙に変わる事もできる
機能は手を洗う事が本来の目的ではあるが、便器本体（タンクレス）に、手洗い機能が付いた事と、従来の水洗浄ではなく、霧状での洗浄である事と、便器本体での温風乾燥で行なえる事で、従来の機能にプラスすることで可能になります。
【符号の説明】
【０００９】  １  上部蓋
２  手洗い器部分
３  水出口
４  温風出口
５  排水ホース
【図１】
2011036613.tif 000003
【図２】
2011036613.tif 000004
(57)【要約】【課題】長時間手首に装着するには違和感がある大きくて重い脈拍センサーでは、長時間確実なデータを取り続けることが困難である。【解決手段】軽量でスリムなブレスレット型通信装置付脈拍センサーを用いることで、長時間装着に違和感が少なくなり、確実な脈拍データを長時間得ることができるようになる。【選択図】図１
2011036617.tif 000002
【特許請求の範囲】
【請求項１】
ブレスレット型通信装置付脈拍センサー
【発明の詳細な説明】
【技術分野】
【０００１】本発明は、脈拍検出器に関するものであり、ブレスレット型にして手首付近に装着し、データ通信機能を付与することによって、容易にコンピューター処理できるようにしたものである。
【背景技術】
【０００２】脈拍センサーとしては、腕時計型（通信装置付）が存在する。
【発明の概要】
【発明が解決しようとする課題】
【０００３】従来技術である腕時計型通信装置付脈拍センサーは、一般男性用腕時計程度の大きさと４５グラムの重量あり、長時間手首に装着すると違和感が発生し、一般生活においても不具合が生じることがあり、実用性に問題があった。
【課題を解決するための手段】
【０００４】この課題を解決するための請求項１の発明は、通信装置付脈拍センサーを、ブレスレット型にしたことを特徴とする。
また、機能を脈拍検出だけに絞り込むことで重量を２５グラムまで軽量化し、長時間手首に装着していても、軽量でスリムなので違和感が少なく、確実なデータを確保送信し続けることができる。
【発明の効果】
【０００５】本発明により、脈拍センサーを違和感により手首から外してしまうことが少なくなり、長時間のモニターがブレスレット型通信装置付脈拍センサーにより可能となる。
【図面の簡単な説明】
【０００６】
【図１】ブレスレット型通信装置付脈拍センサーが概略図
【発明を実施するための形態】
【０００７】図１で示す通り、スリムな形状である。
【産業上の利用可能性】
【０００８】医療健康産業分野のみならず、独居老人等の健康管理モニターにも利用可能である。
【図１】
2011036617.tif 000003
(57)【要約】【課題】脈拍センサーで得た長時間で確実なデータを、インタネット通信で一括管理する方法は無かった。【解決手段】軽量でスリムなブレスレット型通信装置付脈拍センサーを用いることで、長時間装着に違和感が少なくなり、確実な脈拍データを長時間連続で得ることができるようになり、そのデータをパーソナルコンピュターに取り込みインターネット通信で一括管理することができる。【特許請求の範囲】
【請求項１】
脈拍データの通信管理方法。
【発明の詳細な説明】
【技術分野】
【０００１】本発明は、脈拍検出器で得られた脈拍データの通信管理方法に関するものであり、ブレスレット型にして手首付近に装着したブレスレット型脈拍センサーにデータ通信機能を付与することによって、容易に脈拍データをコンピューター処理できるようにし、そのデータを管理することによって、一人若しくは多人数の健康管理等を可能にするものである。
【背景技術】
【０００２】個人脈拍データを、パーソナルコンピュターに送信し管理する方法や、インターネット通信により不特定多数のデータを一括管理する方法はあった。
【発明の概要】
【発明が解決しようとする課題】
【０００３】従来技術である腕時計型通信装置付脈拍センサーは、一般男性用腕時計程度の大きさと４５グラムの重量あり、長時間手首に装着すると違和感が発生し、一般生活においても不具合が生じることがあり、実用性に問題があった。
そしてその得られたデータをインターネット通信により一括管理する方法は無かった。
【課題を解決するための手段】
【０００４】この課題を解決するための請求項１の発明は、機能を脈拍検出だけに絞り込むことで重量を２５グラムまで軽量化し、長時間手首に装着していても、軽量でスリムなので違和感が少なく、確実なデータを確保送信し続けることができるブレスレット型通信装置付脈拍センサーのデータをパーソナルコンピュターに取り込み、インターネット通信で一括管理することができる。
【発明の効果】
【０００５】本発明により、ブレスレット型通信装置付脈拍センサーによる長時間モニターの一括管理が可能となり、健康維持管理等の連続監視が可能になる。
【産業上の利用可能性】
【０００６】医療健康産業分野のみならず、独居老人等の健康管理モニターにもインターネット通信による一括管理することで利用可能である。
また、同時にインターネット通信を利用して、音声と映像を付加することにより、より一層の管理が可能となる。
(57)【要約】【課題】地震発生時、落下物から頭部を守る、チクワ枕を提供する。【解決手段】筒状を特徴とするチクワ枕。【選択図】図２
2011036620.tif 000002
【特許請求の範囲】
【請求項１】
筒状を特徴とするチクワ枕。
【発明の詳細な説明】
【技術分野】
【０００１】  本発明は、地震発生時、落下物から頭部を守る、チクワ枕に関するものである。
【背景技術】
【０００２】  就寝中は、非常に無防備な状態になる。
地震が起きると、様々な予期しない物が落下してくる危険がある。
【発明の開示】
【発明が解決しようとする課題】
【０００３】  様々な落下物により、頭部にダメージを受ける可能性がある。
本発明は、この問題点を解決するためになされたものである。
【課題を解決するための手段】
【０００４】  筒状を特徴とするチクワ枕。
【発明の効果】
【０００５】  落下物による頭部のダメージを減らす。
【発明を実施するための最良の形態】
【０００６】  以下、本発明の実施の形態を説明する。
（イ）枕を筒状に作る。
（ロ）枕の長さは、頭部だけが収まるショート丈、上半身が収まるミドル丈、全身が収        まるロング丈など、使用者が選べるよう、バリエーションをもたせる。
（ハ）筒の大きさは、一人用、カップルなどの二人用、ファミリーなどの三人用と、こ        ちらもバリエーションをもたせる。
本発明は、以上の構成よりなっている。
本発明を使用するときは、終身時に筒状の中に頭部、もしくは上半身、もしくは全身を入れて眠る。
【図面の簡単な説明】
【０００７】
【図１】本発明の斜視図
【図２】本発明の使用状態を示す斜視図
【符号の説明】
【０００８】    １  枕部分
【図１】
2011036620.tif 000003
【図２】
2011036620.tif 000004
(57)【要約】      （修正有）【課題】ザルで水切りを行うとき、具材の飛散防止や時間短縮、その他の手間を省けるようにボウルとザルを一体にすることの出来る飛散防止ボウル・ザルセットを提供する。【解決手段】ボウルとザルの淵２、４に凸凹３、１の接合部を設けた飛散防止ボウル・ザルを特徴とする。ボウルとザルが一体となる事により、ボウルが蓋がわりとなり上下左右に強く振っても具材がこぼれる心配がなく、短時間で水切りを行うことができる。また、ボウルの上からザルを組み合わせ逆にひっくり返す事が出来るので、ボウルからザルに移す手間が省ける。【選択図】図４
2011036612.tif 000002
【特許請求の範囲】
【請求項１】
（イ）ボウルの淵（２）の一端に凹（１）の接合部を設ける。
（ロ）ザルの淵（４）の一端に凸（３）の接合部を設ける。
以上の構成よりなる飛散防止水切りボウル、ザル。
【発明の詳細な説明】
【技術分野】
【０００１】この発明は、ボウルとザルの一端に接合部を設け、一体にすることのできる飛散防止型のボウルとザルに関するものである。
【背景技術】
【０００２】従来、ボウルとザルは別々になっており、組み合わせることができなかった。
【発明の開示】
【発明が解決しようとする課題】
【０００３】これは、次のような欠点があった。
（イ）ザルを上下左右に振って水切りを行うと具材がこぼれ落ちる。
（ロ）ザルを放置し自然に水切りを行うと時間がかかる。
（ハ）（ロ）の場合、具材の表面にも水が溜まる為、時々掻き回すなどの時間がかかる。
（ニ）ボウルで具材を洗浄、又はさらした後、ザルに移すと言う手間がかかる。
【課題を解決するための手段】
【０００４】  ボウルとザルの上部の淵（２）（４）に凸凹（３）（１）の接合部を設ける。
本発明は、以上の構成よりなる飛散防止水切りボウル・ザルである。
【発明の効果】
【０００５】（イ）ボウルとザルが一体となる事により、ボウルが蓋がわりとなり上下左右に強く振っても具材がこぼれる心配がない。
（ロ）上下左右自在に振ることが出来るので短時間で水切りを行うことができる。
（ハ）上下左右自在に振ることが出来るので掻き回す手間が省ける。
（ニ）ボウルの上からザルを組み合わせ逆にひっくり返す事が出来るので、ボウルからザルに移す手間が省ける。
【発明を実施するための最良の形態】
【０００６】  以下、本発明を実施するための最良の形態について説明する。
ボウルの上部の淵（２）の一端に凹（１）の接合部を設ける。
ザルの上部の淵（４）の一端に凸（３）の接合部を設ける。
本発明はこのような構造である。
これを使用する時は、ボウルの凹部にザルの凸部を差し込み、反対側を持って上下左右に振って水切りを行えばよい。
【図面の簡単な説明】
【０００７】
【図１】本発明の平面図である。
【図２】本発明の正面図である。
【図３】本発明の側面図である。
【図４】本発明の拡大図である。
【図５】本発明の接合時の側面図である。
【符号の説明】
【０００８】  １  ボウルの凹
２  ボウルの淵
３  ザルの凸
４  ザルの淵
【図１】
2011036612.tif 000003
【図２】
2011036612.tif 000004
【図３】
2011036612.tif 000005
【図４】
2011036612.tif 000006
【図５】
2011036612.tif 000007
(57)【要約】【課題】入浴時に不快なく髪をまとめられる商品を企画したい。トリートメント時に普通のタオルをまくとトリートメント剤がおちにくい。現行の似た商品はほとんどがビニール製のため蒸れてしまう。【解決手段】一般に使われているナイロン製のタオルをそのまま頭にまくのは、髪をまとめずらいので、ゴムを縁にいれかぶる形にした。トリートメント剤がすぐ落ちるように目の荒いナイロン製にした。【選択図】図１
2011036619.tif 000002
【特許請求の範囲】
【請求項１】
入浴時に髪をまとめるためのシャワーキャップ
【発明の詳細な説明】
【技術分野】
【０００１】本発明は髪をまとめるための日常物品に関するものである。
【背景技術】
【０００２】従来のシャワーキャップ等はビニール製がおもである。
【先行技術文献】
【特許文献】
【０００３】
【特許文献１】
【特許文献２】
【非特許文献】
【０００４】
【非特許文献１】
【非特許文献２】
【発明の概要】
浴室内で髪をまとめる際に蒸れずにまとめられ、なおかつこの品物自体にトリートメントがついてもすぐ落としやすい。
【発明が解決しようとする課題】入浴時の頭髪をまとめる際の蒸れ感とタオルで代用した際の水切れの悪さ。
【課題を解決するための手段】通気性のよい材質で作る
【発明の効果】トリートメント時や髪を入浴時にまとめる際に蒸れずに扱いも簡単になった
【図面の簡単な説明】
【図１】平面図
【図２】立面図
【発明を実施するための形態】
材質が発明品に適しているか確認後、工場で試作をつくる。
【実施例】商品のノベルティーとしてつけてみる
【産業上の利用可能性】入浴時使用品のため、スパやサウナ、一般家庭でも利用可。
または、アイデア商品としての扱いも可。
【図１】
2011036619.tif 000003
【図２】
2011036619.tif 000004
(57)【要約】【課題】衣服やバッグに用いられる従来のボタンの機能を損なうことなく、表面の色、柄を変化させ、動画や静止画を放映し得るものを提供する。【解決手段】ボタンの表面に電子ペーパーを取り付ける。ディスプレイ部と有線、無線もしくは赤外線によって結ばれる駆動装置は衣服の場合ポケット、バッグの場合内部に収納する。【選択図】図１
2011036615.tif 000002
【特許請求の範囲】
【請求項１】
衣服用もしくはバッグ用その他服飾品の、単体もしくは複数のボタン表面に電気泳動方式、電子粉流体方式、ツイストボール方式、コレステリック液晶方式、イオン流書き込み液晶表示方式、光書き込み液晶方式、高分子分散型液晶方式、帯電トナー方式、エレクトロウェッティング方式、感熱方式、磁気感熱方式、液晶方式のいずれかの方式によるいわゆる電子ペーパーのディスプレイを取り付けたもの。
【請求項２】
請求項１の電子ペーパーのディスプレイを駆動させるためのコントロール部、入力手段制御部、中央制御部、内部記憶部、ディスプレイ制御部、の一連の駆動ユニットをポケットに収納したもの、もしくは衣服裏面に取り付けたもの。
【請求項３】
請求項２の一連の駆動ユニットをバッグ内部に収納したもの。
【請求項４】
請求項１のディスプレイに請求項２の駆動装置をケーブル、赤外線あるいは無線により接続したもの。
【発明の詳細な説明】
【技術分野】
【０００１】衣服やバッグに用いられるボタンに電子ペーパーを利用する技術である。
【背景技術】
【０００２】電気泳動方式、電子粉流体方式、ツイストボール方式、コレステリック液晶方式、イオン流書き込み液晶表示方式、光書き込み液晶方式、高分子分散型液晶方式、帯電トナー方式、エレクトロウェッティング方式、感熱方式、磁気感熱方式、液晶方式等の技術を用いた様々な、いわゆる電子ペーパーと呼ばれる薄いディスプレイが実用化されはじめた。
【発明の開示】
【発明が解決しようとする課題】
【０００３】従来のボタンの機能を損なうことなく、表面の色、柄を変化させ、動画や静止画を放映し得るものを提供する。
【発明を実施する最良の形態】
【０００４】ボタンの表面に上記（０００２）に示したいずれかの技術を用いた電子ペーパーを取り付ける。ディスプレイ部と有線もしくは無線もしくは赤外線によって結ばれる駆動装置は衣服のポケットか衣服裏面に設け、バッグの場合はバッグ内部に収納する。
【発明の効果】
【０００５】ボタンの色、柄を自在に変化させることが出来るようになる。例えばブレザーのボタンとして採用した場合、着て行く用途に合わせて赤い色にしたり青い色にしたり出来る。社員が自社の商標を表示したり、セールスマンが新製品の広告媒体として使うこともできる。
【発明を実施するための最良の形態】
【０００６】ボタン表面に電子ペーパーを取り付ける。ボタンが複数の場合でも各ボタンは１個の駆動装置から発せられる同一の信号を受信して同一の画像を映し出す。駆動装置は衣服の場合ポケットもしくは衣服裏面に設け、バッグの場合バッグ内部に収納する。
【産業上の利用可能性】
【０００７】新型ボタン。雰囲気演出装置。広告媒体。
【図面の簡単な説明】
【０００８】
【図１】図１に添って説明する。１は表面に電子ペーパーが取り付けられたボタンである。２は駆動装置である。３は有線で信号を送る場合のケーブルである。４はシステム図である。
【図１】
2011036615.tif 000003